(57)【要約】【課題】二つ折りにして携帯機器を覆う革製の携帯機器用ケースを提供すること。【解決手段】二つ折りにしたときに表面を形成する革製の表面部と、二つ折りにしたときに裏面を形成する革製の裏面部と、前記表面部と前記裏面部とを連結し、二つ折りにするときに屈曲する革製の中央折り曲げ部とを有し、前記表面部は、一部の端部が略９０度折り曲げられた差し込み部材を備え、前記裏面部は、一部の端部が略９０度折り曲げられた支持部材を備え、二つ折りにしたときに前記差し込み部材を前記支持部材に嵌合して、前記携帯機器を保持する、ことを特徴とする。【選択図】図１
0003204113.tif 000002
【実用新案登録請求の範囲】
【請求項１】
二つ折りにして携帯機器を覆う携帯機器用ケースであって、
前記携帯機器を背面に保持し、二つ折りにしたときに表面を形成する革製の表面部と、
二つ折りにしたときに裏面を形成する革製の裏面部と、
前記表面部と前記裏面部とを連結し、二つ折りにするときに屈曲する革製の中央折り曲げ部と
を有し、
前記表面部は、該表面部の一部の端部が略９０度折り曲げられた差し込み部材を備え、
前記裏面部は、該裏面部の一部の端部が略９０度折り曲げられた支持部材を備え、
二つ折りにしたときに前記差し込み部材を前記支持部材に嵌合して、前記携帯機器を保持する、
ことを特徴とする携帯機器用ケース。
【請求項２】
前記中央折り曲げ部は、前記携帯機器の端子に装着するケーブルを貫通するケーブル開口を備える、
ことを特徴とする請求項１に記載の携帯機器用ケース。
【請求項３】
前記携帯機器は、スマートフォンであり、
二つ折りにした状態から前記表面部を開いたときに、該表面部の背面に前記スマートフォンを保持している、
ことを特徴とする請求項１または請求項２に記載の携帯機器用ケース。
【考案の詳細な説明】
【技術分野】
【０００１】
本考案は、二つ折りにして携帯機器を覆う革製の携帯機器用ケースに関する。
【背景技術】
【０００２】
携帯機器用ケースは、携帯機器を保護するために、携帯機器の外面に配置されるものである。特許文献１には、厚さの異なる２種以上の機器を収容可能とし、表・裏材等と側部材の色調を合わせ易くし、側部材の任意形状の裁断・縫製を容易とし、防水性及び耐劣化
性の向上を図るため、少なくとも表・裏材の左右両側を接続する側部材を備え、表材の上端部が蓋とされている携帯機器用ケースであって、側部材を伸縮性及び非透水性を有する薄い合成樹脂製材料例えばポリウレタン合成皮革により構成する携帯機器用ケースに関する技術を開示している。特許文献２には、携帯情報通信端末装置とＩＣカードとを一緒に収容してもＩＣカードの利用に支障を生じさせない携帯機器用ケースであって、携帯情報通信端末装置を収容するために底部及び縁部により画成した第１収容部と、底部に矩形状の凹みを設けた第２収容部とを備え、第２収容部に収容したＩＣカードと第１収容部に収容した携帯情報通信端末装置との間に携帯情報通信端末装置が発する電波を反射させる電波遮蔽用シートを介在させる携帯機器用ケースに関する技術を開示している。特許文献３には、カメラ付携帯端末を安易に取り付けることができ、カメラ部分を簡単な構造でケースの外部に移動させることができるカメラ付携帯端末用ケースであって、第１のカバーには、溝付固定板、移動板及び粘着板からなる機器装着部が一体的に設けられ、粘着板の一方の表面である移動板接着面は移動板と一体的になるように接着され、粘着板の他方の表面の粘着剤にカメラ付携帯機器が貼り付けられ、第１のカバーに貼り付けられたカメラ付携帯機器のカメラがこの第１のカバーの外部にでるように、溝付固定板に嵌めこまれた移動板を摺動する携帯機器用ケースに関する技術を開示している。
【先行技術文献】
【特許文献】
【０００３】
【特許文献１】特開平９−２７６０２１号公報
【特許文献２】登録実用新案公報第３１８４９２２号公報
【特許文献３】登録実用新案公報第３２００５０９号公報
【考案の概要】
【考案が解決しようとする課題】
【０００４】
しかしながら、特許文献１乃至特許文献３には、二つ折りにして携帯機器を覆うことによって、携帯機器の取り出しを容易にし、且つ、携帯機器の全面を保護することができる携帯機器用ケースに関する記載がない。
【０００５】
本考案は、二つ折りにして携帯機器を覆う革製の携帯機器用ケースを提供することを目的とする。
【課題を解決するための手段】
【０００６】
上記課題を解決するために、本考案の一つの実施形態は、二つ折りにして携帯機器を覆う携帯機器用ケースであって、前記携帯機器を背面に保持し、二つ折りにしたときに表面を形成する革製の表面部と、二つ折りにしたときに裏面を形成する革製の裏面部と、前記表面部と前記裏面部とを連結し、二つ折りにするときに屈曲する革製の中央折り曲げ部とを有し、前記表面部は、該表面部の一部の端部が略９０度折り曲げられた差し込み部材を備え、前記裏面部は、該裏面部の一部の端部が略９０度折り曲げられた支持部材を備え、二つ折りにしたときに前記差し込み部材を前記支持部材に嵌合して、前記携帯機器を保持する、ことを特徴とする携帯機器用ケースを提供する。
【０００７】
本考案の他の実施形態は、上記の携帯機器用ケースであって、前記中央折り曲げ部は、前記携帯機器の端子に装着するケーブルを貫通するケーブル開口を備える、ことを特徴とする携帯機器用ケースであってもよい。
【０００８】
本考案の他の実施形態は、上記の携帯機器用ケースであって、前記携帯機器は、スマートフォンであり、二つ折りにした状態から前記表面部を開いたときに、該表面部の背面に前記スマートフォンを保持している、ことを特徴とする携帯機器用ケースであってもよい。
【考案の効果】
【０００９】
本考案に係る携帯機器用ケースによれば、二つ折りにして携帯機器を覆うことによって、携帯機器の全面を保護することができ、且つ、携帯機器の取り出しを容易にすることができる。
【図面の簡単な説明】
【００１０】
【図１】本考案の実施形態に係る携帯機器用ケースの一例を説明する説明図である。
【図２】本考案の実施形態に係る携帯機器用ケースの使用例を説明する説明図である。
【図３】本考案の実施形態に係る携帯機器用ケースを説明する概略構成図である。
【図４】本考案の実施形態に係る携帯機器用ケースの中央折り曲げ部の例を説明する説明図である。
【考案を実施するための形態】
【００１１】
実施形態に係る携帯機器用ケースの例を用いて、本考案を説明する。なお、本考案は、以後に説明する携帯機器用ケース以外でも、革製のケースであって携帯機器（スマートフォン、携帯電話、携帯通信機器、その他携帯可能な機器）の外面を保護するものであれば、いずれのものにも用いることができる。なお、携帯機器用ケースの色は、特に限定されない。携帯機器用ケースの色は、例えば使用者（消費者）の趣味趣向に合わせた柄や色彩のものであってもよい。
【００１２】
以後に、本考案を説明する。
【００１３】
図１乃至図４を用いて、本考案の実施形態に係る携帯機器用ケースの構成を説明する。ここで、図１は、本考案の実施形態に係る携帯機器用ケースの一例を説明する説明図である。図２は、本考案の実施形態に係る携帯機器用ケースの使用例を説明する説明図である。図３（ａ）は、本考案の実施形態に係る携帯機器用ケースを説明する二つ折りにした状態の概略構成図である。図３（ｂ）は、本考案の実施形態に係る携帯機器用ケースを説明する二つ折りにした状態を開いた概略構成図である。図４（ａ）は、本考案の実施形態に係る携帯機器用ケースの中央折り曲げ部を説明する二つ折りにした状態の説明図である。図４（ｂ）は、本考案の実施形態に係る携帯機器用ケースの中央折り曲げ部を説明する二つ折りにした状態を開いた説明図である。
【００１４】
なお、図１等に示す携帯機器用ケースの構成等は一例であり、本考案は図１等に示す携帯機器用ケース等に限定されるものではない。
【００１５】
図１に示すように、本考案に係る携帯機器用ケース１００は、二つ折りにして携帯機器を覆うもの（ケース、カバーなど）である。携帯機器用ケース１００は、図２に示すように、二つ折りにした状態を開いたときに、後述する表面部の背面にスマートフォンＳＰを保持している。
【００１６】
携帯機器用ケース１００は、図３（ａ）及び図３（ｂ）に示すように、二つ折りにしたときに表面を形成する革製の表面部１１と、二つ折りにしたときに裏面を形成する革製の裏面部１２と、表面部１１と裏面部１２とを連結する革製の中央折り曲げ部１３とを有する。携帯機器用ケース１００は、二つ折りにしたときに（表面部１１の端部の一部である）差し込み部材１１ａを（裏面部１２の端部の一部である）支持部材１２ａに嵌合して、携帯機器を保持する。
【００１７】
表面部１１は、二つ折りにしたときに表面を形成する革製の部材である。表面部１１は、携帯機器を背面に保持する。表面部１１は、本実施形態では、一部の端部が略９０度折り曲げられた差し込み部材１１ａ（図３（ｂ））と、携帯機器を保持する機器保持部材１１ｂ（図３（ｂ））と、携帯機器のカメラを露出するカメラ開口部（図３（ａ））と、を備える。差し込み部材１１ａは、一部の端部が９０度以上に折り曲げられたものであってもよい。また、差し込み部材１１ａは、使用時（嵌合時）に弾性変形する部分であるため、強度および耐久性を強化する目的で、端部の少なくとも一部の厚さを他の部分より厚くしてもよい。
【００１８】
裏面部１２は、二つ折りにしたときに裏面を形成する革製の部材である。裏面部１２は、図１および図３（ａ）に示すように、表面部１１（差し込み部材１１ａ）を嵌合して支持する。裏面部１２は、本実施形態では、一部の端部が略９０度折り曲げられた支持部材１２ａ（図３（ａ）および図３（ｂ））と、カードを差し込んで保持するカード差し込み部１２ｐ（図３（ｂ））と、を備える。支持部材１２ａは、一部の端部が９０度未満に折り曲げられたものであってもよい。また、支持部材１２ａは、使用時（嵌合時）に弾性変形する部分であるため、強度および耐久性を強化する目的で、端部の少なくとも一部の厚さを他の部分より厚くしてもよい。カード差し込み部１２ｐは、裏面部１２背面にシート部材を配置し、シート部材の一部を開口したもの又はシート部材の上端を開口して袋形状にしたものであってもよい。なお、シート部材は、革製以外のもの（例えば合成樹脂製、エンジニアリングプラスチック製など）であってもよい。
【００１９】
中央折り曲げ部１３は、図４（ａ）および図４（ｂ）に示すように、二つ折りにするときに屈曲する革製の部材である。中央折り曲げ部１３は、表面部１１と裏面部１２とを連結する。中央折り曲げ部１３は、本実施形態では、図４（ａ）および図４（ｂ）に示すように、携帯機器の端子に装着するケーブルを貫通させるケーブル開口１３ａ，１３ｂ，１３ｃを備える。
【００２０】
以上のとおり、本考案に係る携帯機器用ケースによれば、二つ折りにして携帯機器を覆うことによって、携帯機器の全面を保護することができ、且つ、携帯機器の取り出しを容易にすることができる。また、本考案に係る携帯機器用ケースによれば、二つ折りにしたときに、表面部１１の端部の一部である差し込み部材１１ａを裏面部１２の端部の一部である支持部材１２ａに嵌合して、閉じた状態を維持することができる。更に、本考案に係る携帯機器用ケースによれば、革製の弾性変形を利用することができるので、表面部１１の端部の一部である差し込み部材１１ａを裏面部１２の端部の一部である支持部材１２ａに嵌合して、閉じた状態を維持することができる。
【００２１】
また、本考案に係る携帯機器用ケースによれば、革製の弾性変形を利用して閉じた状態を維持することができるので、マグネットやホックなど金具の留め具を必要とせず、携帯機器の破損や磁気の影響を低減することができる。また、本考案に係る携帯機器用ケースによれば、二つ折りにして携帯機器を覆うことによって、ワンモーションで簡潔な開閉を実現することができる。更に、本考案に係る携帯機器用ケースによれば、二つ折りの簡素な形状で、革製の弾性変形を利用して閉じた状態を維持することができるので、オリジナリティー性の高い携帯機器用ケースを容易に製造することができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１００  ：  携帯機器用ケース
１１  ：  表面部
１１ａ：  差し込み部材
１１ｂ：  機器保持部材
１１ｃ：  カメラ開口部
１２  ：  裏面部
１２ａ：  支持部材
１２ｐ：  カード差し込み部
１３  ：  中央折り曲げ部
１３ａ，１３ｂ，１３ｃ：  ケーブル開口
ＳＰ  ：  携帯機器（スマートフォンなど）
【図１】
0003204113.tif 000003
【図２】
0003204113.tif 000004
【図３】
0003204113.tif 000005
【図４】
0003204113.tif 000006